(57)【要約】【課題】容易に製造することが出来て安価な制振ブレース材を用いた制振構造を提供すること。【解決手段】平行に立設する２本の柱材と前記柱材の上下に平行に配置する横架材とによって構成する枠体と、前記枠体内において前記横架材から前記柱材に斜めに設置する制振ブレース材と、からなる制振構造であって、前記制振ブレース材は、パイプ状のブレース体と、前記ブレース体の一方の端部に設ける横架材連結部と、前記ブレース体の他方の端部に設ける柱体連結部と、からなり、前記ブレース体の一部に、前記ブレース体が弾性変形する弾性変形部を有することを特徴とする、制振構造。【選択図】図１
0003205200.tif 000002
【実用新案登録請求の範囲】
【請求項１】
平行に立設する２本の柱材と前記柱材の上下に平行に配置する横架材とによって構成する枠体と、前記枠体内において前記横架材から前記柱材に斜めに設置する制振ブレース材と、からなる制振構造であって、
前記制振ブレース材は、パイプ状のブレース体と、前記ブレース体の一方の端部に設ける横架材連結部と、前記ブレース体の他方の端部に設ける柱体連結部と、からなり、
前記ブレース体の一部に、前記ブレース体が弾性変形する弾性変形部を有することを特徴とする、
制振構造。
【請求項２】
平行に立設する２本の柱材と前記柱材の上下に平行に配置する横架材と前記柱材間に立設する間柱とによって構成する枠体と、前記枠体内において前記間柱から前記柱材に斜めに設置する制振ブレース材と、からなる制振構造であって、
前記制振ブレース材は、パイプ状のブレース体と、前記ブレース体の一方の端部に設ける間柱連結部と、前記ブレース体の他方の端部に設ける柱体連結部と、からなり、
前記ブレース体の一部に、前記ブレース体が弾性変形する弾性変形部を有することを特徴とする、
制振構造。
【請求項３】
請求項２または請求項２に記載の制振構造において、
前記弾性変形部は、前記ブレース材を潰して形成した平板部であることを特徴とする、
制振構造。
【請求項４】
請求項２または請求項２に記載の制振構造において、
前記弾性変形部は、前記ブレース材を切り欠いて形成することを特徴とする、
制振構造。
【考案の詳細な説明】
【技術分野】
【０００１】
本考案は、木造住宅において、柱材と横架材とで形成される枠体内に制振ブレース材を配置して構成する制振構造に関するものである。
【背景技術】
【０００２】
木造住宅の制振部材として、柱材や土台、梁などの横架材からなる枠体内に配置するものが知られている。
特に近年は、粘弾性ダンパーを用いるものが多くみられるようになっている。
【先行技術文献】
【特許文献】
【０００３】
【特許文献１】特開２００７−２６２７０７号公報
【考案の概要】
【考案が解決しようとする課題】
【０００４】
粘弾性ダンパーは機構が複雑であるため、粘弾性ダンパーを使用した制振部材は高価になってしまうという問題があった。
【０００５】
本考案は、容易に製造することが出来て安価な制振ブレース材を使用した制振構造を提供することを目的とする。
【課題を解決するための手段】
【０００６】
上記目的を達成するためになされた本願の第１考案は、平行に立設する２本の柱材と前記柱材の上下に平行に配置する横架材とによって構成する枠体と、前記枠体内において前記横架材から前記柱材に斜めに設置する制振ブレース材と、からなる制振構造であって、前記制振ブレース材は、ブレース体と、前記ブレース体の一方の端部に設ける横架材連結部と、前記ブレース体の他方の端部に設ける柱体連結部と、からなり、前記ブレース体の一部に、前記ブレース体が弾性変形する弾性変形部を有することを特徴とする、制振構造を提供する。
本願の第２考案は、平行に立設する２本の柱材と前記柱材の上下に平行に配置する横架材と前記柱材間に立設する間柱とによって構成する枠体と、前記枠体内において前記間柱から前記柱材に斜めに設置する制振ブレース材と、からなる制振構造であって、前記制振ブレース材は、ブレース体と、前記ブレース体の一方の端部に設ける間柱連結部と、前記ブレース体の他方の端部に設ける柱体連結部と、からなり、前記ブレース体の一部に、前記ブレース体が弾性変形する弾性変形部を有することを特徴とする、制振構造を提供する。
本願の第３考案は、第１考案または第２考案の制振構造において、前記弾性変形部は、前記ブレース材を潰して形成した平板部であることを特徴とする、制振構造を提供する。
本願の第４考案は、第１考案または第２考案の制振構造において、前記弾性変形部は、前記ブレース材を切り欠いて形成することを特徴とする、制振構造を提供する。
【考案の効果】
【０００７】
本考案の制振構造は、上記した課題を解決するための手段により、次のような効果の少なくとも一つを得ることができる。
＜１＞弾性変形部をブレース材を潰してまたは切り欠いて形成するため、容易に製造することが出来る。
＜２＞容易に製造することができるブレース材を用いたブレース体を追加するだけでよいため、安価に制振構造を構築することができる。
【図面の簡単な説明】
【０００８】
【図１】本考案の制振構造の説明図（１）
【図２】制振ブレース材の説明図（１）
【図３】制振構造に力が作用した状態の説明図
【図４】弾性変形部の変形の説明図（１）
【図５】本考案の制振構造の説明図（２）
【図６】制振ブレース材の説明図（２）
【図７】本考案の制振構造の説明図（３）
【図８】ブレース体の説明図（２）
【図９】ブレース体の説明図（３）
【図１０】弾性変形部の変形の説明図（２）
【図１１】横架材連結部の説明図
【図１２】柱材連結部の説明図
【考案を実施するための形態】
【０００９】
以下、図面を参照しながら本考案の制振ブレース材の実施の形態を詳細に説明する。
【００１０】
［実施例１］
（１）制振構造
本考案の制振構造は、木造住宅の構造材であって、２本の柱材１ａ、１ｂと、柱材１ａ、１ｂの上下に横架する梁２、土台３、および、柱材１ａ、１ｂ間に立設する間柱４によって構成される枠体内に、制振ブレース材５を設置して構成するものである（図１）。
【００１１】
（２）制振ブレース材
本考案の制振ブレース材５は、梁２または土台３から一方の柱材１方向に傾斜して配置するブレース体５１と、ブレース体５１と梁２や土台３などの横架材とを連結する横架材連結部５２およびブレース体５１と柱材１とを連結する柱材連結部５３と、からなる（図２）。
本実施例は、図１のように４本の制振ブレース材５を各接合部に斜めに、方杖状に配置するものである。
【００１２】
（３）ブレース体
ブレース体５１は金属材料を円筒状または角筒状に形成したものである。
ブレース体５１の両端は、円筒を半径方向に圧縮して潰して、平板状の平板部５１１を形成する。平板部５１１は取り付ける枠体の構造材に対して平行に形成する。
平板部５１１の一方または両方の側面を切り欠いて弾性変形部５１２を形成する（図２）。
【００１３】
（４）弾性変形部
地震により木造住宅に力が作用すると、枠体を構成する柱材１に傾きが生じる。このときブレース体５１は両端を枠体に連結しているため、柱材１の傾きに追従する（図３）。
弾性変形部５１２を形成する平板部５１１はブレース体５１を潰して形成するため、ブレース体５１よりも変形しやすい部分となる。また、平板部５１１を切り欠いているため、より変形しやすい。これにより、引張力が作用したブレース体５１は、ブレース体５１本体や、枠体との連結部分の変形よりも前に、弾性変形部５１２が弾性変形する（図４ｂ）。
この弾性変形部５１２の弾性変形により、枠体に作用する地震エネルギーを吸収して制振する。
【００１４】
（５）横架材連結部
横架材連結部５２は、平板部５１１を取り付ける梁２や土台３と平行に形成し、平板部５１１のうちの弾性変形部５１２よりも端部側をビスによって梁２や土台３に連結するものである（図２）。
【００１５】
（６）柱材連結部
柱材連結部５３は、平板部５１１を柱材１と平行に形成し、平板部４１のうちの弾性変形部５１２よりも端部側をビスによって柱材１に連結するものである（図２）。
【００１６】
本実施例の制振ブレース材は、ブレース体５１を潰して弾性変形部５１２を形成するものであるため、容易に製造することが出来て安価である。
また、横架材連結部５２、柱材連結部５３はブレース体５１本体を変形して形成するものであるため一体であり、現場への搬送や施工も容易に行うことができる。
【００１７】
［実施例２］
（１）制振ブレース材の配置
本実施例は、間柱４から一方の柱材１方向に傾斜して配置する制振ブレース材５を４本、Ｘ字状に配置するものである（図５）。
【００１８】
（２）制振ブレース材
本実施例の制振ブレース材５は、間柱４から一方の柱材１方向に傾斜して配置するブレース体５１と、ブレース体５１と柱材１とを連結する柱材連結部５３およびブレース体５１と間柱４とを連結する間柱連結部５４と、からなる（図４）。
本実施例は、図１のように４本の制振ブレース材５を各接合部に斜めに、方杖状に配置するものである。
【００１９】
（３）ブレース体
ブレース体５１は金属材料を円筒状または角筒状に形成したものである。
ブレース体５１の両端は、円筒または角筒を圧縮して潰して、平板状の平板部５１１を形成する。平板部５１１は取り付ける枠体の構造材に対して平行に形成する。
平板部５１１の一方または両方の側面を切り欠いて弾性変形部５１２を形成する（図６）。
【００２０】
（４）弾性変形部
地震により木造住宅に力が作用すると、枠体を構成する柱材１に傾きが生じる。このときブレース体５１は両端を枠体に連結しているため、柱材１の傾きに追従する。
弾性変形部５１２を形成する平板部５１１はブレース体５１を潰して形成するため、ブレース体５１よりも変形しやすい部分となる。また、平板部５１１を切り欠いているため、より変形しやすい。これにより、引張力が作用したブレース体５１は、ブレース体５１本体や、枠体との連結部分の変形よりも前に、弾性変形部５１２が弾性変形する（図３ｂ）。
この弾性変形部５１２の弾性変形により、枠体に作用する地震エネルギーを吸収して制振する。
【００２１】
（５）柱材連結部
柱材連結部５３は、平板部５１１を柱材１と平行に形成し、平板部４１のうちの弾性変形部５１２よりも端部側をビスによって柱材１に連結するものである。
【００２２】
（６）間柱連結部
間柱連結部５４は、平板部５１１を間柱４と平行に形成し、平板部５１１のうちの弾性変形部５１２よりも端部側をビスによって間柱４に連結するものである。
【００２３】
［実施例３］
（１）制振ブレース材の配置
本実施例は、制振ブレース材５を柱材１と梁２、土台３の横架材の各接合部に斜めに、方杖状に配置するものである（図７）。
【００２４】
（２）制振ブレース材
本実施例の制振ブレース材５は、梁２または土台３から一方の柱材１方向に傾斜して配置するブレース体５１と、ブレース体５１と梁２や土台３などの横架材とを連結する横架材連結部５２およびブレース体５１と柱材１とを連結する柱材連結部５３と、からなる（図７）。
【００２５】
（３）ブレース体
ブレース体５１は金属材料を角筒状に形成したものである。
ブレース体５１には一部を切り欠いて弾性変形部５１２を形成する。
弾性変形部５１２は、ブレース体５１にスリット状の切り欠き５１３を形成して構成する（図８）。また、切り欠き５１３の底部に拡径部５１４を形成してもよい（図９）。
【００２６】
（４）弾性変形部
地震により木造住宅に力が作用すると、枠体を構成する柱材１に傾きが生じる。このときブレース体５１は両端を枠体に連結しているため、柱材１の傾きに追従する。
弾性変形部５１２はブレース体５１を切り欠いて形成するため、ブレース体５１よりも変形しやすい部分となる。これにより、引張力が作用したブレース体５１は、ブレース体５１本体や、枠体との連結部分の変形よりも前に弾性変形部５１２が変形する。
この弾性変形部５１２の弾性変形により、枠体に作用する地震エネルギーを吸収して制振する（図１０ｂ）。
【００２７】
（５）横架材連結部
横架材連結部５２は、ブレース体５１と梁２や土台３の横架材とを連結する部材である（図１１）。
枠体連結部５２は、枠体に取り付ける平板状の取付部５２１と、取付部５２１から対向して立設する一対の連結板５２２と、からなり、連結板５２２には二対の軸支孔５２３を設ける。
枠体連結部５２は、両柱材１の略中間に配置して、ブレース材５１の端部付近に設けた挿通孔５４と軸支孔５２３に挿通するボルトおよびナットにより、２本のブレース材５１を軸支する。
取付部５２１の、枠体の前後方向の端辺中央には間柱４に対応する切り欠き５２４を設ける。
【００２８】
（６）柱材連結部
柱材連結部５３は、柱材１に取り付ける平板状の取付部５３１と、取付部５３１に対向して立設する一対の連結板５３２と、からなる（図１２）。
連結板５３２には一対の軸支孔５３３を設け、ブレース材５１の端部付近に設けた挿通孔５４と軸支孔５３３に挿通するボルトおよびナットによりブレース材５１を軸支する。
【００２９】
このように、本実施例の制振ブレース材５は、ブレース体５１を切り欠いて弾性変形部５１２を形成するものであるため、容易に製造することが出来て安価である。
【符号の説明】
【００３０】
１      柱材
２      梁
３      土台
４      間柱
５      制振ブレース材
５１    ブレース体
５１１  平板部
５１２  弾性変形部
５１３  スリット
５１４  拡径部
５２    横架材連結部
５２１  取付部
５２２  連結板
５２３  軸支孔
５２４  切り欠き
５３    柱材連結部
５３１  取付部
５３２  連結板
５３３  軸支孔
【図１】
0003205200.tif 000003
【図２】
0003205200.tif 000004
【図３】
0003205200.tif 000005
【図４】
0003205200.tif 000006
【図５】
0003205200.tif 000007
【図６】
0003205200.tif 000008
【図７】
0003205200.tif 000009
【図８】
0003205200.tif 000010
【図９】
0003205200.tif 000011
【図１０】
0003205200.tif 000012
【図１１】
0003205200.tif 000013
【図１２】
0003205200.tif 000014